(57)【要約】【課題】操作が容易で、様々な異なる輝度／色温度を提供できる光源設備を提供すること。【解決手段】本考案は、導電端子と、制御回路と、第１の光源装置と、第２の光源装置とを備える光源設備を提供する。前記制御回路は、前記導電端子によって範囲が定められる収容スペース内に設けられ、且つ前記導電端子と電気的に接続されている。前記第１の光源装置及び前記第２の光源装置は、いずれも前記制御回路と電気的に接続されている。前記制御回路が切換信号を検出したとき、前記制御回路が前記第１の光源装置を第１の輝度から第２の輝度に変更し、且つ前記第２の光源装置を第３の輝度から第４の輝度に変更する。【選択図】図２
0003179621.tif 000002
【実用新案登録請求の範囲】
【請求項１】
収容スペースの範囲を定める導電端子と、
前記導電端子の前記収容スペース内に設けられ、且つ前記導電端子と電気的に接続されている制御回路と、
前記制御回路と電気的に接続されている第１の光源装置と、
前記制御回路と電気的に接続されている第２の光源装置とを備え、
前記制御回路が切換信号を検出したとき、前記制御回路が前記第１の光源装置を第１の輝度から第２の輝度に変更し、且つ前記第２の光源装置を第３の輝度から第４の輝度に変更する、光源設備。
【請求項２】
前記導電端子が直流電圧源と電気的に接続され、且つ前記直流電圧源から直流電圧を受け取る、請求項１に記載の光源設備。
【請求項３】
前記制御回路及び前記導電端子に電気的に接続されており、交流電圧を受け取って、前記交流電圧を直流電圧に変換する交流／直流変換器（AC/DC converter）をさらに備え、
前記制御回路が蓄積回路を含んでおり、前記蓄積回路が前記第１の光源装置及び前記第２の光源装置に電気的に接続され、前記直流電圧を蓄積して、前記直流電圧を前記第１の光源装置及び前記第２の光源装置に提供する、請求項１に記載の光源設備。
【請求項４】
前記制御回路が、
前記交流／直流変換器に電気的に接続されている光カプラと、
前記交流／直流変換器と、前記蓄積回路と、前記第１の光源装置と、前記第２の光源装置とに電気的に接続されている定電圧回路と、
前記光カプラと、前記蓄積回路と、前記定電圧回路とに電気的に接続されているマイクロプロセッサとをさらに備える、請求項３に記載の光源設備。
【請求項５】
前記マイクロプロセッサが、さらに前記光源設備の１つ前の段階の状態を記録し、前記切換信号及び前記１つ前の段階の状態に基づいて、前記第１の光源装置を前記第１の輝度から前記第２の輝度に変更し、且つ前記第２の光源装置を前記第３の輝度から前記第４の輝度に変更する、請求項４に記載の光源設備。
【請求項６】
スイッチをさらに備え、前記スイッチが作動された（activated）とき、前記制御回路が前記切換信号を検出する、請求項１に記載の光源設備。
【請求項７】
前記切換信号が複数個の切換副信号を含む、請求項１に記載の光源設備。
【請求項８】
前記第１の光源装置が複数個の第１の副光源装置を含み、前記第２の光源装置が複数個の第２の副光源装置を含み、前記第１の副光源装置及び前記第２の副光源装置が交互配置方式で配置されている、請求項１に記載の光源設備。
【請求項９】
前記第１の光源装置の色温度が２０００Ｋ〜３０００Ｋであり、前記第２の光源装置の色温度が５０００Ｋ〜９０００Ｋである、請求項１に記載の光源設備。
【請求項１０】
前記第１の輝度が前記第１の光源装置の最大輝度であり、前記第２の輝度が消灯であり、前記第３の輝度が消灯であり、且つ前記第４の輝度が前記第２の光源装置の最大輝度である、請求項１に記載の光源設備。
【請求項１１】
前記第１の輝度が前記第１の光源装置の最大輝度であり、前記第２の輝度が前記第１の輝度の２分の１であり、前記第３の輝度が消灯であり、且つ前記第４の輝度が前記第２の光源装置の最大輝度の２分の１である、請求項１に記載の光源設備。
【請求項１２】
前記第１の輝度が前記第１の光源装置の最大輝度の２分の１であり、前記第２の輝度が前記第１の光源装置の前記最大輝度であり、前記第３の輝度が前記第２の光源装置の最大輝度の２分の１であり、且つ前記第４の輝度が消灯である、請求項１に記載の光源設備。
【考案の詳細な説明】
【技術分野】
【０００１】
本考案は光源設備に関し、より詳細には、切換信号に基づいて輝度を調整することができる光源設備に関する。
【背景技術】
【０００２】
科学技術の急速な発展により、現在、市場には種類及び輝度が異なる光源設備が多数存在している。ユーザは、家庭での日常生活環境において光源設備を設置するとき、異なる使用状況に合わせて、輝度または／及び色温度の異なる照明設備を設置するものである。例を挙げて言うと、外出時または睡眠時、ユーザは光源設備のスイッチを切ったり、輝度が比較的弱い光源設備を起動したりすることによって、室内の基本的な輝度を保つと同時に、不必要な電源消費を避け、省エネルギー・炭素排出削減の目的を果たしている。しかしながら、この方式では、ユーザは輝度が異なる各種の光源設備を設置する必要があり、金銭的負担が増えてしまう。
【０００３】
さらに、光源設備の照明効果は人の眼で判定されるが、人の眼による視覚の各色光に対する感度は同じではなく、例えば、人の眼の緑色光に対する感度は赤色光よりも高い。したがって、光源の色温度特性に対し選択を行い、輝度調整を利用して異なる光源環境を実現する（例えば、朝、昼または夕方）ことが非常に重要なのは明らかである。しかし、現在市場に出回っている各種光源設備の大多数は、色温度の調整または／及び切り換えができないため、ユーザが異なる色温度の効果を得ようとした場合、色温度の異なる光源設備を設置しなければならず、負担が生じる。
【０００４】
また、周知の光源設備は外部の制御回路によって制御されており、制御装置が故障して交換が必要となったときは、必ず照明器具を完全に取り外さなければならず、非常に不便であるため、ユーザの購買意欲が低下する。
【考案の概要】
【考案が解決しようとする課題】
【０００５】
このような状況に鑑み、ユーザの購買意欲を向上させるためには、操作が容易で、様々な異なる輝度／色温度を提供できる光源設備をいかに提供するかは、業界が迅速に努力して目指すべき目標である。
【課題を解決するための手段】
【０００６】
前述の課題を解決するために、本考案は、制御回路を有する光源設備を提供しており、制御回路は少なくとも２個（または少なくとも２組）の光源装置の光源を制御するために用いられ、この光源設備が適切な輝度を生じるようにする。
【０００７】
本考案の提供する光源設備は、導電端子と、制御回路と、第１の光源装置と、第２の光源装置とを備える。前記制御回路は、前記導電端子によって範囲が定められる収容スペース内に設けられ、且つ前記導電端子と電気的に接続されており、前記第１の光源装置及び前記第２の光源装置は、いずれも前記制御回路と電気的に接続されている。前記制御回路が切換信号を検出したとき、前記制御回路は前記第１の光源装置を第１の輝度から第２の輝度に変更し、且つ前記第２の光源装置を第３の輝度から第４の輝度に変更する。
【考案の効果】
【０００８】
上述の通り開示された技術特徴によって、ユーザは本考案に係る光源設備の光源装置の輝度を簡単な切換方式で調整することができる。また、制御回路が導電端子によって範囲が定められる収容スペース内に設けられているので、光源設備全体の設計がより簡潔になる。このほか、いずれかの光源装置が破損したときは、直接光源装置を交換すればよく、周知技術における、従来の光源設備の制御回路の交換または修理という困難な作業を回避することができる。
【０００９】
本考案の上述の目的、技術特徴及び優位点をより分かりやすくするために、好ましい実施例をもって図面と併せて以下の通り詳細に説明する。
【図面の簡単な説明】
【００１０】
【図１Ａ】第１の実施例に係る光源設備を示す機能ブロック概略図である。
【図１Ｂ】交互配置方式で設置された第１の副光源装置及び第２の副光源装置を示す図である。
【図１Ｃ】交互配置方式で設置された第１の副光源装置及び第２の副光源装置を示す図である。
【図２】第２の実施例に係る光源設備２を示す概略図である。
【考案を実施するための形態】
【００１１】
以下、実施例を通じて本考案が提供する光源設備について説明する。しかしながら、本考案の実施例は、本考案が実施例に記載されたような環境、応用または方式においてのみ実施可能であると限定するものではない。よって、実施例に関する説明は本考案を詳しく説明するためのものに過ぎず、本考案を直接限定するものではない。以下の実施例及び図面において、本考案に直接関係しない部品については省略し図示しないことを、説明しておくべきである。
【００１２】
本考案の第１の実施例は光源設備１であり、その機能ブロック概略図は図１Ａに示す通りである。光源設備１は、導電端子１１と、制御回路１３と、第１の光源装置１５と、第２の光源装置１７とを備える。制御回路１３は、導電端子１１によって範囲が定められる収容スペース（図示せず）内に設けられ、且つ導電端子１１と電気的に接続されている。第１の光源装置１５及び第２の光源装置１７は、いずれも制御回路１３と電気的に接続されているので、制御回路１３は第１の光源装置１５及び第２の光源装置１７の輝度を制御することができる。
【００１３】
導電端子１１をスイッチ１８と電気的に接続し、さらにスイッチ１８を直流電圧源（例えば、電池）１９と電気的に接続すると、光源設備１を稼働させることができる。ユーザはスイッチ１８を作動させる（例えば、１回押下する）ことによって光源設備１を始動させることができ、光源設備１の始動後、直流電圧源１９は直流電圧１０３を提供する。第１の実施例において、光源設備１の始動後、第１の光源装置１５は第１の輝度、第２の光源装置１７は第３の輝度となる。
【００１４】
ユーザが再度１回押下（または数回押下）してスイッチ１８を作動させると、このスイッチ１８によって切換信号１０１が発生する。制御回路１３は、この切換信号１０１を検出したとき、第１の光源装置１５を第１の輝度から第２の輝度に変更し、且つ第２の光源装置１７を第３の輝度から第４の輝度に変更する。ユーザが複数回押下することによってスイッチ１８を作動させるとき、スイッチ１８によって発生する切換信号１０１には、複数個の切換副信号が含まれる。
【００１５】
第１の輝度、第２の輝度、第３の輝度及び第４の輝度の具体的な輝度値は、制御回路１３によってあらかじめ設定できることを説明しておくべきである。例を挙げて言えば、第１の輝度は第１の光源装置１５の最大輝度、第２の輝度は消灯、第３の輝度は消灯、第４の輝度は第２の光源装置１７の最大輝度としてよい。したがって、制御回路１３が切換信号１０１を検出した（スイッチが１回または数回押下された）とき、第１の光源装置１５の輝度は全光から消灯に変わり、第２の光源装置１７の輝度は消灯から全光に変わる。
【００１６】
再度例を挙げて言えば、第１の輝度は第１の光源装置１５の最大輝度、第２の輝度は第１の輝度の２分の１、第３の輝度は消灯、第４の輝度は第２の光源装置１７の最大輝度の２分の１としてよい。したがって、制御回路１３が切換信号１０１を検出した（スイッチが１回または数回押下された）とき、第１の光源装置１５及び第２の光源装置１７は、それぞれ全光及び消灯から半分の輝度に変わる。
【００１７】
再度例を挙げて言えば、第１の輝度は第１の光源装置１５の最大輝度の２分の１、第２の輝度は第１の光源装置１５の最大輝度、第３の輝度は第２の光源装置１７の最大輝度の２分の１、第４の輝度は消灯としてもよい。したがって、制御回路１３が切換信号１０１を検出した（スイッチが１回または数回押下された）とき、第１の光源装置１５及び第２の光源装置１７は、半分の輝度からそれぞれ全光及び消灯に変わる。
【００１８】
さらに言えば、制御回路１３は、前述の数例を１つに整合して、多段式の輝度制御を提供するよう設計されてよい。三段式の輝度制御を例にとると、第１段は第１の光源装置１５が最大輝度で且つ第２の光源装置１７が消灯、第２段は第１の光源装置１５が消灯で且つ第２の光源装置１７が最大輝度、第３段は第１の光源装置１５がその最大輝度の２分の１で且つ第２の光源装置１７がその最大輝度の２分の１としてよい。任意の時点で、スイッチが１回押下されると、制御回路１３は切換信号を検出してその中に切換副信号が１個だけあると判断し、これによって第１の光源装置１５及び第２の光源装置１７が第１段の輝度を示すよう制御する。任意の時点で、スイッチが２回押下されると、制御回路１３は切換信号を検出してその中に２個の切換副信号があると判断し、これによって第１の光源装置１５及び第２の光源装置１７が第２段の輝度を示すよう制御する。また、任意の時点で、スイッチが３回押下されると、制御回路１３は切換信号を検出してその中に３個の切換副信号があると判断し、これによって第１の光源装置１５及び第２の光源装置１７が第３段の輝度を示すよう制御する。
【００１９】
制御回路１３は、第１の光源装置１５及び第２の光源装置１７の仕事率を制御することによって、その輝度を制御することを説明しておくべきである。具体的に言えば、制御回路１３は、第１の光源装置１５の輝度を最大輝度から最大輝度の２分の１に変更するとき、第１の光源装置１５の仕事率が半減するよう制御する。制御回路１３による第２の光源装置１７の輝度制御方式も同様である。
【００２０】
また、幾つかの実施態様においては、第１の光源装置１５は複数個の第１の副光源装置１５ａを含んでよく、第２の光源装置１７は複数個の第２の副光源装置１７ａを含んでよい。第１の副光源装置１５ａ及び第２の副光源装置１７ａは、図１Ｂ及び１Ｃに示す通り、交互配置方式で配置される。交互配置方式で設置することにより、光源設備１が示す輝度をより均一にすることができる。図１Ｂ及び１Ｃは、本考案の一実施態様を例示して説明するものに過ぎず、本考案は第１の副光源装置１５ａ及び第２の副光源装置１７ａの設置方式、形状及び数量を限定するものではないことを、説明しておくべきである。
【００２１】
このほか、第１の光源装置１５及び第２の光源装置は色温度の異なる光源装置でよく、例えば、第１の光源装置１５の色温度は２０００Ｋ〜３０００Ｋ、第２の光源装置１７の色温度は５０００Ｋ〜９０００Ｋでよく、その逆でもよい。第１の光源装置１５の色温度が２０００Ｋ〜３０００Ｋであって且つ第２の光源装置１７の色温度が５０００Ｋ〜９０００Ｋとすると、両装置の始動時に光源設備１が示す色温度は、３０００Ｋ〜５０００Ｋである。
【００２２】
上述の配置によって、ユーザは光源設備１を切換方式で容易に操作することができ、且つ第１の副光源装置１５ａ及び第２の副光源装置１７ａを交互に配置するよう設置することによって、より均一な輝度が示されるようにすることが可能になる。
【００２３】
本考案の第２の実施例は光源設備２であり、その概略図を図２に示す。光源設備２は、導電端子２１と、導電端子２１内に設けられた制御回路２３と、交流／直流変換器（AC/DC converter）２９と、第１の光源装置２５と、第２の光源装置２７とを備える。図１の光源設備１と比べて、本実施例の光源設備２は、交流／直流変換器２９をさらに備えている。第１の光源装置２５及び第２の光源装置２７は、いずれも制御回路２３と電気的に接続されている。交流／直流変換器２９は制御回路２３及び導電端子２１に電気的に接続されている。このほか、制御回路２３と交流／直流変換器２９は、いずれも導電端子２１によって範囲が定められる収容スペース（図示せず）内に設けられている。
【００２４】
導電端子２１をスイッチ２８と電気的に接続し、さらにスイッチ２８を交流電圧源２０と電気的に接続すると、光源設備２を稼働させることができる。ユーザはスイッチ２８を作動させる（例えば、１回押下する）ことによって光源設備２を始動させることができ、光源設備２の始動後、交流電圧源２０は交流電圧２０５を提供する。交流／直流変換器２９はこの交流電圧２０５を受け取った後、これを直流電圧２０３に変換する。第１の実施例において、光源設備１の始動後、第１の光源装置２５は第１の輝度、第２の光源装置２７は第３の輝度であった。
【００２５】
ユーザがスイッチ２８を再度１回押下（または数回押下）して作動させると、このスイッチ２８によって切換信号２０１が発生する。制御回路２３は、この切換信号２０１を検出したとき、第１の光源装置２５を第１の輝度から第２の輝度に変更し、且つ第２の光源装置２７を第３の輝度から第４の輝度に変更する。ユーザがスイッチ２８を数回押下して作動させたとき、スイッチ２８によって発生する切換信号２０１には、複数個の切換副信号が含まれている。前述の第１の輝度、第２の輝度、第３の輝度及び第４の輝度の具体的な輝度値は、制御回路２３によってあらかじめ設定できることを説明しておくべきである。
【００２６】
以下に、例を挙げて本実施例の制御回路２３の実現方式を説明する。制御回路２３は、光カプラ２３１と、定電圧回路２３３と、マイクロプロセッサ２３５と、蓄積回路２３７とを備えてよい。蓄積回路２３７は第１の光源装置２５及び第２の光源装置２７に電気的に接続されており、直流電圧２０３を蓄積すると共に、蓄積した直流電圧２０３を第１の光源装置２５及び第２の光源装置２７へ提供する。具体的に言えば、光源設備２の電圧源は交流電圧源２０であるので、光源設備２が無電源状態になった場合、蓄積回路２３７は直流電圧２０３を第１の光源装置２５及び第２の光源装置２７へ持続的に提供することができる。蓄積回路２３７は、電気容量蓄積回路でよいことを説明しておくべきである。
【００２７】
次に、本実施例において、光カプラ２３１は交流／直流変換器２９に電気的に接続されている。本考案の属する技術分野の当業者は、光カプラ２３１が有する機能及び動作方式を熟知しているはずであるので、余分な説明はしない。定電圧回路２３３は交流／直流変換器２９と、蓄積回路２３７と、第１の光源装置２５と、第２の光源装置２７とに電気的に接続されている。定電圧回路２３３は交流／直流変換器２９から直流電圧２０３を受け取り、安定した動作電圧を第１の光源装置２５及び第２の光源装置２７に提供する。マイクロプロセッサ２３５は、光カプラ２３１と、定電圧回路２３３と、蓄積回路２３７とに電気的に接続されている。
【００２８】
第２の実施例に係る光源設備２は、第１の実施例に係る光源設備１の切換方式を有するように設置することができ、同一の部分については繰り返して説明しない。光源設備２は、１つ前の段階の状態に基づいて切換信号２０１の内容を組み合わせ、第１の光源装置２５及び第２の光源装置２７の輝度をどのように切り換えるかを決定することもできる。本実施例では、マイクロプロセッサ２３５が光源設備２の１つ前の段階の状態（即ち、１つ前の段階での第１の光源装置２５及び第２の光源装置２７の輝度）を記録する。１つ前の段階の状態として、第１の光源装置２５は第１の輝度、第２の光源装置２７は第３の輝度であると記録されたと仮定すると、マイクロプロセッサ２３５は切換信号２０１及び１つ前の段階の状態に基づいて、前記第１の光源装置２５を第１の輝度から第２の輝度に変更し、且つ第２の光源装置２７を第３の輝度から第４の輝度に変更する。
【００２９】
例を挙げて言えば、第１の輝度は第１の光源装置２５の最大輝度、第２の輝度は消灯、第３の輝度は消灯、第４の輝度は第２の光源装置２７の最大輝度としてよい。または、第１の輝度は第１の光源装置２５の最大輝度、第２の輝度は第１の輝度の２分の１、第３の輝度は消灯、第４の輝度は第２の光源装置２７の最大輝度の２分の１としてよい。あるいは、第１の輝度は第１の光源装置２５の最大輝度の２分の１、第２の輝度は第１の光源装置２５の最大輝度、第３の輝度は第２の光源装置２７の最大輝度の２分の１、第４の輝度は消灯としてもよい。
【００３０】
同様に、制御回路２３は前述の数例を１つに整合して、多段式の輝度制御を提供するよう設計されてよい。三段式の輝度制御を例にとると、第１段は第１の光源装置２５が最大輝度で且つ第２の光源装置２７が消灯、第２段は第１の光源装置２５が消灯で且つ第２の光源装置２７が最大輝度、第３段は第１の光源装置２５がその最大輝度の２分の１で且つ第２の光源装置２７がその最大輝度の２分の１としてよい。マイクロプロセッサ２３５は、光源設備２の１つ前の段階の状態を記録し、さらに受信した切換信号２０１に含まれる切換副信号の数に基づいて、現段階ではどの段の輝度を示すべきかを決定する。例を挙げて言えば、１つ前の段階の状態が第２段であって、切換信号２０１に含まれる切換副信号の数が２である場合、マイクロプロセッサ２３５は第１の光源装置２５及び第２の光源装置２７を制御して二段切り換えを行い、第１段の輝度を示すようにする。
【００３１】
第１の実施例と同様、制御回路２３は仕事率を制御する方式で第１の光源装置２５及び第２の光源装置２７の輝度を制御しており、ここでは余分な説明をしないことを、説明しておくべきである。
【００３２】
好ましい実施例において、第１の光源装置２５は複数個の第１の副光源装置を含み、且つ第２の光源装置２７は複数個の第２の副光源装置を含んでいる。これらの第１の副光源装置及び第２の副光源装置は、各々発光ダイオード（Light Emitting Diode, LED）でよい。この実施例において、第１の光源装置２５及び第２の光源装置２７は異なる色温度の発光ダイオードであって、例を挙げて言うと、第１の光源装置２５の発光ダイオードの色温度値は２０００Ｋ〜３０００Ｋ、第２の光源装置２７の発光ダイオードの色温度値は５０００Ｋ〜９０００Ｋであり、その逆でもよい。
【００３３】
このほか、第１の実施例と同様、第１の副光源装置及び第２の副光源装置を交互配置方式で配置した場合、示される輝度がより均一になり、好ましい効果が得られる。
【００３４】
第１の実施例及び第２の実施例に記載された第１の輝度、第２の輝度、第３の輝度及び第４の輝度の輝度値は、説明のために用いたものであるに過ぎず、本考案の範囲を限定するものではないことを、説明しておくべきである。言い換えれば、ユーザは必要に応じて異なる第１の輝度、第２の輝度、第３の輝度及び第４の輝度を自ら設定することができる。また、第１の光源装置及び第２の光源装置の色温度は、２０００Ｋ〜３０００Ｋ及び５０００Ｋ〜９０００Ｋに限られるものではなく、ユーザが必要に応じて、異なる色温度を有する光源装置を選択することもできる。
【００３５】
以上をまとめると、本考案の光源設備は少なくとも二種類の異なる光源装置を備え、且つこの少なくとも二種類の光源装置を調整可能な制御回路を備えている。ユーザはスイッチによって光源設備を切り換えることができ、制御回路は、スイッチによって発生した切換信号を受信すると、光源装置の輝度を自動的に切り換えて調整することができる。また、本考案の制御回路は導電端子によって範囲が定められた収容スペース内に設けられているので、いずれかの光源装置が破損したときに、直接光源装置を交換すればよく、周知技術における、従来の光源設備の制御回路の交換または修理という困難な作業を回避することができる。
【００３６】
上述の実施例は本考案の実施態様を例示するため、及び本考案の技術特徴を詳しく説明するために用いられているに過ぎず、本考案の保護範囲を限定するものではない。当業者であれば誰でも容易に実現できる改変または均等な調整は、全て本考案が主張する範囲に属するものであり、本考案の権利保護範囲は、実用新案登録請求の範囲を基準とする。
【符号の説明】
【００３７】
１  光源設備
１１  導電端子
１３  制御回路
１５  第１の光源装置
１７  第２の光源装置
１８  スイッチ
１９  直流電圧源
１０１  切換信号
１０３  直流電圧
１５ａ  第１の副光源装置
１７ａ  第２の副光源装置
２  光源設備
２０  交流電圧源
２１  導電端子
２３  制御回路
２５  第１の光源装置
２７  第２の光源装置
２８  スイッチ
２９  交流／直流変換器
２３１  光カプラ
２３３  定電圧回路
２３５  マイクロプロセッサ
２３７  蓄積回路
２０１  切換信号
２０３  直流電圧
２０５  交流電圧
【図１Ａ】
0003179621.tif 000003
【図１Ｂ】
0003179621.tif 000004
【図１Ｃ】
0003179621.tif 000005
【図２】
0003179621.tif 000006